(57)【要約】      （修正有）【課題】移動体端末への着信時の経路において、収容されている基地局宛に直接送信されることによって、 Mobile IPが包含している課題を解決することができるシステムおよび方法を提供する。【解決手段】ネットワーク内での端末の所在地、すなわちどのアクセスノードの配下に端末が所属しているかを管理するサーバを設け、アクセスノードが移動体端末がどのアクセスノード配下にあるかを検出して該サーバに登録する。移動体端末に固定的に割り当てたＩＰアドレスとその移動体端末が所属するアクセスノードの識別子の組み合わせであるタグを管理し、送信データは移動体端末が収容されているアクセスノードに直接送信される。【選択図】        図１
2004208053.tif 000002
【特許請求の範囲】
【請求項１】
移動体端末に固定的に割り当てたＩＰアドレスを用いた通信システム。
【請求項２】
移動体通信において移動体端末にグローバルＩＰアドレスを固定的に割り当て、前記グローバルＩＰアドレスを用いて、移動体通信のキャリアに制限されずに通信を可能にしたことを特徴とする通信システム。
【請求項３】
移動体端末に固定的に割り当てたＩＰアドレスを介して前記移動体端末をネットワークにアクセスするアクセスノードと、
ゲートウェイと、
前記移動体端末の固定的に割り当てたＩＰアドレスと前記アクセスノードの識別子とを管理するタグマネージメントサーバと、
を有することを特徴とする請求項１又は２に記載の通信システム。
【請求項４】
前記移動体端末は、前記アクセスノードを介して固定的に割り当てるＩＰアドレスの登録をして、通信システムに所属することを特徴とする請求項３に記載の通信システム。
【請求項５】
前記移動体端末が他の移動体端末との通信を確保するためにＴＡＧ解決要求をすると、前記タグマネージメントサーバは、前記他の移動体端末に到達するために当該他の移動体端末の固定的に割り当てたＩＰアドレスと、当該他の移動体端末を通信システムに所属させるためのアクセスノードの識別子の組み合わせであるタグを当該アクセスノードのデータベースに格納して、前記移動体端末と、前記他の移動体端末との通信を確保することを特徴とする請求項３に記載の通信システム。
【請求項６】
前記移動体端末と、前記他の移動体端末との通信を確保した後に、前記移動体端末または前記他の移動体端末の少なくとも１方が、タグが登録されたアクセスノード以外のアクセスノードに前記タグを新たに付与するためにタグ追加要求して前記移動体端末と、前記他の移動体端末との通信を確保することを特徴とする請求項５に記載の通信システム。
【請求項７】
キャリアの異なる移動体端末と、前記移動体端末とが通信を確保する際に、前記ゲートウェイが前記キャリアの異なる移動体端末のタグを保持して通信を確保することを特徴とする請求項３〜６のいずれか１項に記載の通信システム。
【請求項８】
移動体端末に固定的に割り当てたＩＰアドレスを介して前記移動体端末をネットワークにアクセスするアクセスノードと、ゲートウェイと、前記移動体端末の固定的に割り当てたＩＰアドレスと前記アクセスノードの識別子とを管理するタグマネージメントサーバと、を有する通信システムを用いて、通信を確保する方法であって、
前記方法は、
前記移動体端末が他の移動体端末との通信を確保するためにＴＡＧ解決要求をすると、前記タグマネージメントサーバは、前記他の移動体端末に到達するために当該他の移動体端末の固定的に割り当てたＩＰアドレスと、当該他の移動体端末を通信システムに所属させるためのアクセスノードの識別子の組み合わせであるタグを当該アクセスノードのデータベースに格納することを特徴とする通信を確保する方法。
【請求項９】
前記移動体端末と、前記他の移動体端末との通信を確保した後に、前記移動体端末または前記他の移動体端末の少なくとも１方が、タグが登録されたアクセスノード以外のアクセスノードに前記タグを新たに付与するためにタグ追加要求して前記移動体端末と、前記他の移動体端末との通信を確保することを特徴とする請求項８に記載の通信を確保する方法。
【請求項１０】
さらに、キャリアの異なる移動体端末と、前記移動体端末とが通信を確保する際に、前記ゲートウェイが前記キャリアの異なる移動体端末のタグを保持して通信を確保することを特徴とする請求項８又は９に記載の通信を確保する方法。
【発明の詳細な説明】
【０００１】
【発明の属する技術分野】
本発明は、グローバルＩＰアドレスを用いた通信システムおよび通信を確保する方法に関する。
【０００２】
【従来の技術】
現在、移動体通信、特に携帯電話を使用したデータ通信においては、携帯電話端末自体に固定的にＩＰアドレスが割り当てられてはいない。このため、ＩＰアドレスによって通信相手である携帯電話端末を特定することができない。
【０００３】
このため移動体通信キャリア外が契機となって、すなわち、使用する移動体通信が用いるキャリア以外のキャリアでは、移動体通信端末は使用することができず、また、初めからＩＰアドレスを使用して、通信（特にインターネットを用いた通信）することも不可能であった。
ＩＰアドレスを使用した通信手段については、移動透過（移動しながら通信可能）な通信の解決手段として、 Mobile IPがある。
【０００４】
しかしながら、移動体端末への着信方向への通信に関しては、必ずホームエージェントに一旦着信した後に、移動体端末が存在している外部エージェントに送信されるため、経路選択によるロスが生じてしまい、これによって、ホームエージェントと外部エージェントとの距離に対応した分、実際にはホップ数が多くなればなるほど、顕著なオーバヘッドとなってしまう。たとえば、ある通信端末が、ホームエージェントとして、「東京」となっている場合に、この通信端末を、たとえば北海道で、北海道の他の通信端末間で使用するような場合には、わざわざ、この通信端末のホーム域である東京のホームエージェントとまず通信が行われ、このエージェントと北海道の、ある基地局あるいは通信したい端末のホームエージェントとが介在して通信したい北海道の端末とが繋がって、その結果、やっと通信されるといった状況が存在する。すなわち、必ずホームエージェントのシステムが絡んで連絡されるため、送信側端末と受信側端末の両方が北海道に存在している端末間での通信が、北海道に存在した端末（送信側）から東京のホームエージェントへの接続、このホームエージェントから北海道への通信の確保（受信側）へと通信が少なくとも２度の大きなホップを必要とし、位置的には発信方と相手方との端末間で極端な場合、１ｋｍ程度であるのに対して、通信が１０００ｋｍを超えた距離で行われるという事態が存在することになってしまう。
【０００５】
同様に、移動透過（移動に関係せずに既存のセッションやサービスを移動前のまま継続して使用でき、またネットワーク上を移動する移動通信端末が変化しない識別子によって特定することができるよう）な通信手段として、LIN6がある。しかしながらこの方式では、LIN6汎用IDやLIN6アドレスの構成上の制限が存在する。
【０００６】
【特許文献１】
特開２０００−２５３０６８号公報
【特許文献２】
特開平１０−３０３９８１号公報
【０００７】
【発明が解決しようとする課題】
本発明は、従来技術の問題点に鑑み、移動体端末への着信時の経路において、収容されている基地局宛に直接送信されることによって、 Mobile IPが包含している課題を解決することができる点に着目した点にある。通信可能な移動体端末に固定的に割り当てたＩＰアドレスを用いて通信を行う方式を提供することにある。
【０００８】
【課題を解決するための手段】
請求項１に記載の発明は、移動体端末に固定的に割り当てたＩＰアドレスを用いた通信システムである。
【０００９】
請求項２に記載の発明は、移動体通信において移動体端末にグローバルＩＰアドレスを固定的に割り当て、前記グローバルＩＰアドレスを用いて、移動体通信のキャリアに制限されずに通信を可能にしたことを特徴とする通信システムである。
【００１０】
請求項３記載の発明は、請求項１又は２において、移動体端末に固定的に割り当てたＩＰアドレスを介して前記移動体端末をネットワークにアクセスするアクセスノードと、ゲートウェイと、前記移動体端末の固定的に割り当てたＩＰアドレスと前記アクセスノードの識別子とを管理するタグマネージメントサーバと、を有することを特徴とする通信システムである。
【００１１】
請求項４記載の発明は、請求項３において、前記移動体端末は、前記アクセスノードを介して固定的に割り当てるＩＰアドレスの登録をして、通信システムに所属することを特徴とする通信システムである。
【００１２】
請求項５に記載の発明は、請求項３において、前記移動体端末が他の移動体端末との通信を確保するためにＴＡＧ解決要求をすると、前記タグマネージメントサーバは、前記他の移動体端末に到達するために当該他の移動体端末の固定的に割り当てたＩＰアドレスと、当該他の移動体端末を通信システムに所属させるためのアクセスノードの識別子の組み合わせであるタグを当該アクセスノードのデータベースに格納して、前記移動体端末と、前記他の移動体端末との通信を確保することを特徴とする通信システムである。
【００１３】
請求項６に記載に発明は、請求項５において、前記移動体端末と、前記他の移動体端末との通信を確保した後に、前記移動体端末または前記他の移動体端末の少なくとも１方が、タグが登録されたアクセスノード以外のアクセスノードに前記タグを新たに付与するためにタグ追加要求して前記移動体端末と、前記他の移動体端末との通信を確保することを特徴とする通信システムである。
【００１４】
請求項７に記載の発明は、請求項３〜６のいずれか１項において、キャリアの異なる移動体端末と、前記移動体端末とが通信を確保する際に、前記ゲートウェイが前記キャリアの異なる移動体端末のタグを保持して通信を確保することを特徴とする通信システムである。
【００１５】
請求項８に記載の発明は、移動体端末に固定的に割り当てたＩＰアドレスを介して前記移動体端末をネットワークにアクセスするアクセスノードと、ゲートウェイと、前記移動体端末の固定的に割り当てたＩＰアドレスと前記アクセスノードの識別子とを管理するタグマネージメントサーバと、を有する通信システムを用いて、通信を確保する方法であって、前記方法は、前記移動体端末が他の移動体端末との通信を確保するためにＴＡＧ解決要求をすると、前記タグマネージメントサーバは、前記他の移動体端末に到達するために当該他の移動体端末の固定的に割り当てたＩＰアドレスと、当該他の移動体端末を通信システムに所属させるためのアクセスノードの識別子の組み合わせであるタグを当該アクセスノードのデータベースに格納することを特徴とする通信を確保する方法である。
【００１６】
請求項９に記載の発明は、前記移動体端末と、前記他の移動体端末との通信を確保した後に、前記移動体端末または前記他の移動体端末の少なくとも１方が、タグが登録されたアクセスノード以外のアクセスノードに前記タグを新たに付与するためにタグ追加要求して前記移動体端末と、前記他の移動体端末との通信を確保することを特徴とする請求項８に記載の通信を確保する方法である。
【００１７】
請求項１０に記載の発明は、請求項８または９において、さらに、キャリアの異なる移動体端末と、前記移動体端末とが通信を確保する際に、前記ゲートウェイが前記キャリアの異なる移動体端末のタグを保持して通信を確保することを特徴とする請求項8又は９に記載の通信を確保する方法である。
【００１８】
【発明の実施の形態】
本発明は、移動体通信における携帯電話、とりわけ隣接した基地局／セルでも同一周波数帯を使用するようなＷ−ＣＤＭＡ方式を基礎技術とし、この基地局間ハンドオーバに関する方式である。また本発明は、オープン無線ＬＡＮの基地局であるホットスポット間で、ＰＤＡのような移動体端末がシームレスに通信を継続するための引き継ぎ方式である。
【００１９】
＜第１実施形態＞
図１は、本発明の構成を説明するための一例（モデルネットワーク）である。本発明におけるネットワーク構成要素である各アクセスノード（Access Node ）１１〜１２、２１〜２２および３１〜３２と、ゲートウェイ（ＧＷ：ＧａｔｅＷａｙ）２１、タグマネージメントサーバ(Tag Management Server：以下、ＴＭＳという) ３１と、それぞれに、ユニークなグローバルＩＰアドレスを割り当てた移動体端末（１端末に唯一のグローバルＩＰアドレスが割り当てられた移動体端末）とからなる。
【００２０】
アクセスノード１１〜３２、ＧＷ２１、ＴＭＳ３１は、ＩＰ網（インターネットプロトコルネットワーク：例えば公衆回線）を使用して接続され、各装置（各移動端末）それぞれのＩＰアドレスを使用して通信を行う。
アクセスノード１１〜３２、ＧＷ２１には、あらかじめＴＭＳのＩＰアドレスを登録しておく。
ＴＭＳ３１は、本発明において、ネットワーク内での端末の所在地、すなわちどのアクセスノードの配下に端末が所属しているのかを管理し、各装置間の通信に使用するタグ（ＴＡＧ）を管理する装置である。ＴＭＳは、各アクセスノードを経由して移動体端末からのＴＡＧ登録要求を受け付け、移動体端末識別番号（端末に付与されたＩＰアドレス）とアクセスノード識別番号（アクセスノードに付与されたＩＰアドレス）との組み合わせをデータベース（ＴＭＳ内）に格納する。
【００２１】
この移動体端末識別番号とアクセスノード識別番号の組み合わせが、ＴＡＧとして本発明の通信システムに使用される。この登録後、いずれかのネットワーク構成装置からＴＡＧ解決要求を受信した際に、その信号上の移動体端末識別番号を抽出し、データベースから、該当するアクセスノード識別番号（識別子）を検索して、ＴＡＧ解決要求を発信したネットワーク構成装置に返送する。このとき、１つの移動体端末識別番号に対し複数のアクセスノード識別番号の登録がある場合には、登録された全てのアクセスノード識別番号をＴＡＧリストとして返送する。
【００２２】
アクセスノード11、12、21、22、31、32は、各移動体端末の無線を終端し、通信を中継する装置である。各移動体端末のネットワークへの所属（どのアクセスノードに移動体端末が終端しているか）を検出してＴＡＧをＴＭＳに登録し、また、各移動体端末の移動に伴ってこの移動体端末があるアクセスノードの管理対象外となったときに、ＴＡＧの削除を行う（アクセスノードがＴＭＳに要求することができ、また、ＴＡＧが存在するアクセスノード自身でこのアクセスノードに存在するＴＡＧを削除することができる）。また各移動体端末が通信を行おうとした際に、各移動体端末の通信相手を収容するアクセスノードが存在しないときに、そのアクセスノードが存在しない移動端末と、ある通信相手とが通信したい場合、（もしくはキャリア外の）移動端末と、本システム内のある通信相手（タグが、あるアクセスノードに存在することによりこのアクセスノードに支配されている移動体端末）とが通信したい場合には、アクセスノードが存在しない移動端末（もしくはキャリア外の移動端末）と、ＧＷとの間でＴＡＧの通知を行って通信路を確立する。
【００２３】
ＧＷは、同一移動体通信提供キャリア内の通信ではない場合、すなわち、外部との通信を行う際に当該ネットワークと、外部とのブリッジの役割を担う。
このモデルネットワークには、移動体端末Ａと移動体端末Ｂが存在する。移動体端末Ｂは、移動に伴って自分の無線を終端する。すなわち収容されるアクセスノードが随時変化する。これらのノードを、それぞれB1、B2、B3と図１で表している。すなわち、移動体端末Ｂは、初めに終端がアクセスノード２１からアクセスされるとし、その後、移動体端末Ｂの移動により、終端されるアクセスノードが、２２、３２と、変わっていくことを例示している。
【００２４】
＜第１実施形態の動作＞
図２は、移動体端末がネットワークに所属するものとして認識されるまでのシーケンスを表す。
図２に示すように、移動体端末は、この端末がある特定のネットワークに所属しようとする場合に、この端末がある特定のネットワークに所属したことを確認するまで、周期的にＴＡＧ登録要求を送信しつづける（ステップＴ１→ステップＴ２）。そして、移動体端末自身は、一般的にどのアクセスノードからか不明ではあるが、あるアクセスノード（たとえばアクセスノード１１）からＴＭＳに登録要求がされると、ＴＭＳは、これを登録することにより（ステップＴ３）、送られてきたこのネットワークのあるアクセスノード１１にＴＡＧ登録完了をこのアクセスノードを介して、ＴＡＧ登録完了報告を受信する（ステップＴ５）。これによって、このネットワークに移動体端末Ａの所属する手続が終了する。図２では、移動体端末Ａが Access Node11との間でＴＡＧ登録手順を行ったことを例にして説明している。ただし、移動体端末は、自分がどのアクセスノードと無線上の信号交換を行っているかまでは認識しない。ＴＡＧ登録の完了は、該当する移動体端末がＴＭＳに登録されたことを意味し、この時、ネットワークに所属したこととなる。なお、前記移動体端末が、自分がどのアクセスノードとアクセスしているのかを認識したり、（移動体端末自身に）表示するように設定することもできる。
【００２５】
図３は、上記のネットワークに所属する手順により、すでに移動体端末Ａがアクセスノード１１に、移動体端末Ｂがアクセスノード２１にそれぞれ無線が終端されており、ネットワークに所属していると認識されていることを前提として、この２つの移動体端末間の通信開始までのシーケンスを表す。移動体端末Ａが移動体端末Ｂとの通信を行うために発信すると（ステップＳ１）、この信号をアクセスノード１１が受信し、タグ解決のためにＴＭＳ宛てに問い合わせを行う（ステップＳ２）。なおこのような認識されていることを前提とするために、ＴＭＳに監視する機能を有するように設定することもでき、この機能を場合によっては、ＧＷに持たせることもできる。
【００２６】
この結果、移動体端末Ｂに到達するためのタグが「Ｂ−２１」として通知され、このＴＡＧから、行き先をアクセスノード２１として送信する。ここでアクセスノード１１は自側ＴＡＧ「Ａ−１１」と相手側ＴＡＧ「Ｂ−２１」とを、アクセスノード１１自身のデータベース内に格納する（ステップＳ３）。公衆ＩＰ網を経由して移動体端末Ｂを収容しているアクセスノード２１は接続要求を受信し、自側ＴＡＧ「Ｂ−２１」と相手側ＴＡＧ「Ａ−１１」とを、自データベース（アクセスノード２１）内に格納し（ステップＳ４）、図３に示すような一連の接続シーケンス（ステップＳ４〜ステップＳ）を処理する。こうして通信路が確立される。このステップＳ４以降は、双方向の通信において、それぞれアクセスノードが自側／相手側のＴＡＧを設定して信号のやりとりを行うことにより、端末Ａと端末Ｂとで、End-to-Endの通信が行われる。
【００２７】
図４および図５は、移動体端末Ｂがアクセスノード２１から遠ざかり、アクセスノード２２に近づく方向に移動している場合のＴＡＧ解決の方法について説明する。つまり図１に示すような、Ｂ１の位置からＢ２の位置に移動する場合を表している。移動体端末Ｂは、アクセスノードとの間の無線品質の劣化、すなわちアクセスノードとの距離が離れたことを検出すると(ステップＳ１００)、別のアクセスノードとの接続によって無線品質を解決する動作を行う。無線品質を解決されるまで現在通信中の相手移動体端末識別番号と自分の移動体端末識別番号を載せたタグ追加要求を送信しつづける（ステップＳ１０１）。アクセスノード２１が、このタグ追加要求を受信、認識したとしても、すでにアクセスノード２１自身が移動体端末Ｂの通信を操作していると判断（無線品質の劣化の継続（持続）あるいは悪化：この判断は、公知の方法を用いて行われる。たとえば通信レベルがある閾値以下になった場合に悪化と判断する。）し、これによってアクセスノード２１は、タグ追加要求を廃棄する。アクセスノード２２は、移動体端末Ｂの接近に従い（すなわち通信レベルに例えば閾値を設け、この閾値と等しいかこれを越す場合）、上記タグ追加要求受信を検出し、ネットワーク所属情報として自局の配下に移動体端末Ｂが存在することをＴＭＳに登録する（ステップＳ１０２）。このＴＭＳ向け登録が完了したら、移動体端末Ｂの通信相手である移動体端末Ａのタグ解決を行い（ステップＳ１０４〜Ｓ１０５）、この結果、移動体端末Ａを収容しているアクセスノード１１に対して、移動体端末Ｂ向けの通信路が増えたことを相手タグ追加要求によって通知する（ステップＳ１０６、ステップＳ１０７）。そして、以後のステップは、図５に示すようになる。すなわち、アクセスノード１１は、自側タグである「Ａ−１１」に対応づけて相手側タグとして「Ｂ−２２」を追加登録し（ステップＳ１０８）、また移動体端末Ａに対して相手側タグが追加になったことをタグ追加通知で報告する。移動体端末Ａはタグ追加通知によって、相手側の通信路数が増えたことを認識し、ダイバーシティ（Diversity ）受信を許容する。以降は、移動体端末Ｂがハンドオーバ過渡期として複数の通信路を持った状態で通信を行う。
【００２８】
図６は、アクセスノード２１とアクセスノード２２の２つを有することにより、通信路が２つになった移動体端末Ｂが、さらにアクセスノード２２に近づき、アクセスノード２１との間の通信を切断し、ハンドオーバを完了するシーケンスを表したものである。移動体端末Ｂは、通信路を２本保持している状態、すなわちハンドオーバ過渡期において、いずれか１つの通信路が十分な無線品質と判断したとき、他方の通信路を解放する。移動体端末Ｂはアクセスノード２１に対して通信路解放要求を送信する（ステップＳ２１１）。図６に示す例では、アクセスノード２１から遠ざかり、アクセスノード２２に近づく方向に移動しているので、通信路開放要求は、アクセスノード２１に対して成され、これを受信したアクセスノード２１では、ネットワーク上のタグ管理から「Ｂ−２１」ＴＡＧを削除するためにＴＭＳにＴＡＧ削除要求を行い（ステップＳ２１２）、またこのタグを使用しているアクセスノード１１に対しても「Ｂ−２１」タグの削除を行う。この一連のシーケンスが完了した時点で、移動体端末Ｂのハンドオーバが完了となり、移動体端末Ｂはこのネットワークにおいてアクセスノード２２を経由してのみ所属することとなる（ステップＳ２１１〜Ｓ２１７）。
【００２９】
図７は、移動体端末Ａが移動体端末Ａが使用しているキャリアとは異なるキャリア外との間で通信を行う場合を示している。ＴＭＳは、自身の管理対象となりえないＩＰアドレスａについて解決を求められた場合にはすべてＧＷのタグを提供する（どこに？）。アクセスノード（図７では、アクセスノード１１：以下の図７の説明において、このアクセスノード１１を使用する場合を例にして説明する。）は、相手先のタグがアクセスノードかＧＷなのかは意識せずに（基本的には認識せずに）、ＴＭＳから提供されたタグを使用して、すなわちＧＷ向けに接続要求を行う（ステップＳ３０４）。ＧＷは接続要求に対し接続受付を送信してきたアクセスノード１１宛に返信する（ステップＳ３０５）。以降（ステップＳ３０７〜ステップＳ３１０）、この通信路を用いて移動体端末とキャリア外の通信相手との間で通信を行う。ＧＷは外部からの通信イベントを受信したら、その宛先ＩＰアドレス、すなわち移動体端末識別番号を抽出し、これに該当するタグを使用して該当移動体端末に送信する。このように、ＧＷは、キャリア外の端末等と通信を行う場合には、アクセスノードとしての機能と、防御機能（ファイアウォール等）の両方の機能を有している。
【００３０】
図８は、図１に示すような同一のキャリアで通信されているシステム外であり、キャリア外からの移動体端末への通信が発生した場合を示している。ＧＷはキャリア外からの通信イベントを受信し（ステップＳ４０１）、着信先の移動体端末識別番号のＴＡＧを所持していない場合、ＴＭＳにタグ解決要求を行う（ステップＳ４０２）。この後、２つのアクセスノード間の場合と同様に、ＧＷ−アクセスノード間で接続要求によってタグの交換を行い、通信を行う（ステップＳ４０４〜ステップＳ４１５）。この場合に、ＧＷは、キャリア外の端末等と通信を行うので、図７と同様にアクセスノードとして働き、またＧＷは外部に対して、防御機能（ファイアウォール等）の両方の機能を有することとなる。
【００３１】
＜第２実施形態＞
本発明は、移動体端末として携帯電話を想定したが、アクセスノードをホットスポットに置き換えることにより、図１に示すようなＷＡＮ以外に、オープン無線ＬＡＮにおいても適用可能である。
また、バックボーンネットワーク（通信回線）として公衆ＩＰ網を例にしたが、バックボーンのネットワークについては、タグの解決が行えれば、特に通信等に使用されるプロトコル等は限定されない。たとえば、ＡＴＭ（asynchronous transfer mode）をバックボーンに用いるとすれば、各装置に到達する手段であるタグとして、 VPI/VCIを適用すればよい。
【００３２】
【発明の効果】
本発明においては、移動体端末、基地局に当たるアクセスノードと、各移動体端末に到達する手段を提供するＴＭＳだけを専用に構築して、公衆ＩＰ網を使用することにより、Ｗ−ＣＤＭＡと同等の通信（の品質が保証可能な通信）が実現でき、また、各移動体端末が固定的に割り当てられているＩＰアドレスをそのまま使用した通信を可能とすることができる。このような通信は、インターネット電話とはまったく異なる方法により、インターネット電話と同等の品質で、各国に（国境を越えて）通信可能とすることが可能となる。すなわち、本発明では、Ｗ−ＣＤＭＡと同等の通信（の品質が保証可能な通信）であり、かつ、インターネット電話の２つの通信を一括した機能を有する通信方式である。
【００３３】
本発明は、移動体端末への着信時の経路において、収容されている基地局宛てに直接送信されるため、 Mobile IPが包含している課題を解決することができる。
本発明では、ネットワーク構成装置および移動体端末それぞれにIPv6アドレスをそのまま付与しネットワーク構成装置間をトンネリングして、移動体端末のＩＰアドレスをそのまま転送するため、１２８ビットのアドレス空間を制限なく使用する事ができる。
【図面の簡単な説明】
【図１】本発明の構成を説明するためのモデルネットワークの一例を示す図である。
【図２】移動体端末がネットワークに所属し認識されるまでのシーケンス図である。
【図３】すでに移動体端末Ａがアクセスノード１１に、移動体端末Ｂがアクセスノード２１にそれぞれ無線が終端され、この２つの移動体端末間の通信開始までのシーケンス図である。
【図４】移動体端末Ｂがアクセスノード２１から遠ざかり、アクセスノード２２に近づく方向に移動している場合のＴＡＧ解決の過程を示すシーケンス図である。
【図５】移動体端末Ｂがアクセスノード２１から遠ざかり、アクセスノード２２に近づく方向に移動している場合のＴＡＧ解決の方法について説明したシーケンス図である。
【図６】アクセスノード２１とアクセスノード２２の２つを有することにより、通信路が２つになった移動体端末Ｂが、アクセスノード２２に近づいた場合のアクセスノード２１との切断により、ハンドオーバを完了するまでのシーケンス図である。
【図７】移動体端末Ａが移動体端末Ａが使用しているキャリアとは異なるキャリア外との間で通信を行う場合を示すシーケンス図である。
【図８】キャリア外から、移動体端末への通信が発生した場合を示すシーケンス図である。
【符号の説明】
ＴＭＳ  タグマネージメントサーバ
１１、１２、２１、２２、３１、３２  アクセスノード
ＧＷ  ゲートウェイ
【図１】
2004208053.tif 000003
【図２】
2004208053.tif 000004
【図３】
2004208053.tif 000005
【図４】
2004208053.tif 000006
【図５】
2004208053.tif 000007
【図６】
2004208053.tif 000008
【図７】
2004208053.tif 000009
【図８】
2004208053.tif 000010